(57)【要約】【課題】安全性を確保できるようにしたカバーを提供することを目的とする。【解決手段】本発明に係るカバー６は、ワイヤーソー１０を有した切断装置のワイヤーソー１０及びワイヤーソー１０をガイドするガイド手段を覆うように構成されたことを特徴とする。また、ワイヤーソーによる切断動作中の状況を目視可能な窓を備えたこと、切断動作中に発生した塵を吸引する吸引手段の吸引口の取付部を備えたこと、切断動作中の切断対象部位に冷却媒体を供給する冷却手段の冷却媒体供給口の取付部を備えたこと等も特徴とする。【選択図】図６
2020165272.tif 000002
【特許請求の範囲】
【請求項１】
ワイヤーソーを有した切断装置のワイヤーソー及びワイヤーソーをガイドするガイド手段を覆うように構成されたことを特徴とするカバー。
【請求項２】
ワイヤーソーによる切断動作中の状況を目視可能な窓を備えたことを特徴とする請求項１に記載のカバー。
【請求項３】
切断動作中に発生した塵を吸引する吸引手段の吸引口の取付部を備えたことを特徴とする請求項１又は請求項２に記載のカバー。
【請求項４】
切断動作中の切断対象部位に冷却媒体を供給する冷却手段の冷却媒体供給口の取付部を備えたことを特徴とする請求項１乃至請求項３のいずれか一項に記載のカバー。
【請求項５】
取付部が移動可能に設けられたことを特徴とする請求項３又は請求項４に記載のカバー。
【請求項６】
カバーの一方向に延長する開口と、ワイヤーソー側に位置するカバーの内側における開口の幅方向の両側の位置に開口の延長方向に沿って設けられたレールと、レール上を移動可能な移動手段を有した取付部とを備え、
吸引装置と吸引装置に一端が連結された吸引ホースとを備えた吸引手段における当該吸引ホースの他端側、及び、冷却装置と冷却装置に一端が連結された冷却媒体供給用ホースとを備えた冷却手段における当該冷却媒体供給用ホースの他端側のうちの少なくとも一方の他端側が、開口を介してカバーの内側に導かれて取付部に取付けられたことを特徴とする請求項１に記載のカバー。
【発明の詳細な説明】
【技術分野】
【０００１】
本発明は、ワイヤーソーを有した切断装置のワイヤーソーを覆うカバーに関する。
【背景技術】
【０００２】
従来、例えば、橋梁のコンクリート構造物としてのコンクリート床版（以下、床版という）を更新する工事においては、現存の桁を再利用することから、桁の上面に取付けられた古い床版を切断して撤去し、新しい床版と桁とを接合するようにしている。
当該橋梁の床版を更新する際の解体工事においては、桁の上面に取付けられた床版と桁の上面との境界近傍部分を、ワイヤーソーを備えた切断装置を用いて切断する切断方法が知られている。
例えば、当該切断装置を、床版の上面、即ち、道路の上面側に設置して切断する方法（特許文献１参照）、あるいは、切断装置を床版の下面側に設置して切断する方法（特許文献２参照）が知られている。
【先行技術文献】
【特許文献】
【０００３】
【特許文献１】特開２０１８−１４５７９７号公報
【特許文献２】特開２０１８−１４５６６８号公報
【発明の概要】
【発明が解決しようとする課題】
【０００４】
特許文献１；２に開示された切断装置によれば、ワイヤーソーが露出し、また、切断中に発生した塵が周囲に拡散するため、安全性の面で問題がある。
本発明は、安全性を確保できるようにしたカバーを提供することを目的とする。
【課題を解決するための手段】
【０００５】
本発明に係るカバーは、ワイヤーソーを有した切断装置のワイヤーソー及びワイヤーソーをガイドするガイド手段を覆うように構成されたことを特徴とするので、安全性を確保できる。
また、ワイヤーソーによる切断動作中の状況を目視可能な窓を備えたことを特徴とするので、ワイヤーソーによる切断動作中の状況を、カバーの外側から、安全、かつ、容易に確認できるようになる。
また、切断動作中に発生した塵を吸引する吸引手段の吸引口の取付部を備えたので、ワイヤーソーにより切断中に発生した塵を吸引できることから、周辺環境への影響を低減でき、効率的な切断作業を実現できるようになる。
また、切断動作中の切断対象部位に冷却媒体を供給する冷却手段の冷却媒体供給口の取付部を備えたことを特徴とするので、ワイヤーソーによる切断箇所に冷却媒体を供給できるようになることから、ワイヤーソー切断時の発熱による切断効率の低下を抑制でき、効率的な切断作業を実現できるようになる。
また、取付部が移動可能に設けられたことを特徴とするので、ワイヤーソーにより切断中に発生した塵を効率的に吸引できるとともに、ワイヤーソーによる切断箇所に効率的に冷却媒体を供給できるようになるので、効率的な切断作業を実現できるようになる。
また、カバーの一方向に延長する開口と、ワイヤーソー側に位置するカバーの内側における開口の幅方向の両側の位置に開口の延長方向に沿って設けられたレールと、レール上を移動可能な移動手段を有した取付部とを備え、吸引装置と吸引装置に一端が連結された吸引ホースとを備えた吸引手段における当該吸引ホースの他端側、及び、冷却装置と冷却装置に一端が連結された冷却媒体供給用ホースとを備えた冷却手段における当該冷却媒体供給用ホースの他端側のうちの少なくとも一方の他端側が、開口を介してカバーの内側に導かれて取付部に取付けられたことを特徴とするので、ワイヤーソーにより切断中に発生した塵を効率的に吸引できるとともに、ワイヤーソーによる切断箇所に効率的に冷却媒体を供給できるようになるので、効率的な切断作業を実現できるようになる。
【図面の簡単な説明】
【０００６】
【図１】床版の下面に取付けられた切断装置及びカバーを床版の上方から見た平面図。
【図２】床版の下面に取付けられた切断装置及びカバーを図１の右側から見た側面図。
【図３】床版の下面に取付けられた切断装置及びカバーを図１の下側から見た正面図。
【図４】従動プーリを示す図であって、（ａ）は無頭ボルトによる回転中心軸を備えたプーリを示す断面図、（ｂ）は有頭ボルトによる回転中心軸を備えたプーリを示す断面図。
【図５】取付手段を示す図であって、（ａ）は第１取付部材を示す斜視図、（ｂ）は第２取付部材を示す斜視図。
【図６】床版の下面に取付けられた第１取付部材及びカバーの拡大図。
【図７】移動体の側面図。
【図８】カバーの内側を示す斜視図。
【発明を実施するための形態】
【０００７】
実施形態１
実施形態１に係る構造物の切断方法及び切断装置を、図１乃至図６に基づいて説明する。
尚、図１は橋梁の床版を更新する際の解体工事において、床版の下面に取付けられた切断装置を床版の上方から見た平面図であるので、床版の下方に位置する切断装置、桁、カバーは、本来、点線で示すべきであるが、構成を明確に表すため実線で示した。
【０００８】
実施形態１に係る構造物の切断方法は、例えば、橋梁の床版を更新する際の解体工事において、図３に示すように、ワイヤーソー１０を備えた切断装置１を用いて、桁２の上面２ｔにずれ止め２Ｋ等の定着部材を介して取付けられた構造物としての鉄筋コンクリート製の床版３と桁２の上面２ｔとの境界近傍における床版３の切断対象部位３Ａを切断する場合に、切断装置１を床版３の下面３ｕに取付けて切断装置１を床版３に支持させた状態でワイヤーソー１０を駆動して、床版３における桁２の上面２ｔとの境界近傍部分である切断対象部位３Ａを切断するようにしたことにより、切断装置１を床版３の下面３ｕ側に設置して床版３を切断できるとともに、切断して撤去する部分以外の再利用する部分である桁２を損傷する可能性を低くできるようにした切断方法である。
尚、切断対象部位３Ａは、例えば、桁２の上面２ｔの幅方向両端側より上方に向けて傾斜する傾斜下面３ｕｔに形成された床版３のハンチ（テーパ）部分における桁２の上面２ｔとの境界近傍部分である。
また、床版３の下面３ｕは、ハンチ部分の傾斜下面３ｕｔ以外の下面である。
尚、本明細書において、幅方向は、図１，図３，図８において「Ｗ」で示した方向、上下方向は、図２，図３，図８において「上下」で示した方向と定義して説明する。
また、図２，３において、符号４は足場板などの作業台である。
【０００９】
切断装置１は、ワイヤーソー１０と、ワイヤーソー１０のガイド部と、ワイヤーソー１０の駆動装置と、ガイド部及び駆動機構を床版３の下面３ｕに取付けるための取付手段とを備える。
【００１０】
ワイヤーソー１０は、例えば、ダイヤモンド砥粒を埋め込んだビーズを一定間隔に装着した無端環状のワイヤー（ダイヤモンドワイヤー）により構成される。
【００１１】
切断装置１は、ワイヤーソー１０が、例えば、床版３の切断対象部位３Ａであるハンチ部分の一方の傾斜下面３ｕｔと他方の傾斜下面３ｕｔとに亘って貫通するように形成された貫通孔３ａに通されるとともに、駆動プーリ２０、複数の従動プーリに掛け渡されて無端環状に構成され、駆動プーリ２０が回転しながら移動してワイヤーソー１０を牽引することにより、ワイヤーソー１０がコンクリート部分に食い込んで切断対象部位３Ａを切断するように構成されている。
【００１２】
ワイヤーソー１０のガイド部は、ガイド手段と、ガイド手段を支持する支持手段とを備える。
【００１３】
ガイド手段は、例えば、駆動プーリ２０と、複数の従動プーリ群とを備える。
【００１４】
複数の従動プーリ群は、例えば図１，図２に示すように、ワイヤーソー１０を切断方向にガイドする切断側配列プーリ群２１と、ワイヤーソー１０の循環経路を構成する切断方向に沿った切断側経路と駆動側経路との境界に設けられた少なくとも２つの経路変換用プーリ２２，２２と、ワイヤーソー１０を駆動側にガイドする駆動側配列プーリ群２３とを備える。
切断側配列プーリ群２１は、例えば図１に示すように、桁２の上面２ｔの幅方向両側において、桁２の上面２ｔの延長方向に沿って間隔を隔てて配置された２個のプーリ、即ち、合計４個の従動プーリ２５，２５…により構成される。尚、切断側配列プーリ群２１、及び、駆動側配列プーリ群２３を構成する従動プーリの数は、複数個であればよい。
【００１５】
切断側配列プーリ群２１を構成する複数の各従動プーリ２５，２５…は、例えば図４（ａ）に示すように、回転中心軸２５ａと、回転中心軸２５ａを回転中心として回転可能なように設けられたプーリ本体（回転体）２５ｂと、回転中心軸２５ａとプーリ本体２５ｂとの間に位置されるように、プーリ本体２５ｂの中心孔に組み込まれたベアリング２５ｃとを備え、回転中心軸２５ａがブラケット２５Ｚに固定された構成である。
尚、当該従動プーリ２５は、図４（ａ）に示すように、回転中心軸２５ａとして無頭のボルトを使用し、当該回転中心軸２５ａの上端（一端）がプーリ本体２５ｂの上面２５ｒより上方に突出しないように構成されている。そして、当該回転中心軸２５ａの上端（一端）には、ベアリング押さえとして機能する低頭ねじ２５ｄの雄ねじ部２５ｅが螺着される雌ねじ部２５ｆが形成されている。
当該従動プーリ２５は、例えば、ブラケット２５Ｚを介して後述する支持体２８の延長方向に固定位置を変更できるように当該支持体２８に固定される。例えば、従動プーリ２５がブラケット２５Ｚに固定され、当該ブラケット２５Ｚが支持体２８の延長方向に固定位置を変更できるよう図外のねじ等を用いて当該支持体２８に固定される（図６参照）。
【００１６】
即ち、ブラケット２５Ｚに形成された貫通孔２５ｇに回転中心軸２５ａの他端側を貫通させて当該回転中心軸２５ａの他端側のねじ部に座金２５ｈを挿入してナット２５ｉを締結することにより、回転中心軸２５ａをブラケット２５Ｚに固定する。そして、回転中心軸２５ａの一端側から当該回転中心軸２５ａに、スペーサ２５ｊを挿入した後、ベアリング２５ｃが組み込まれたプーリ本体２５ｂを挿入し、その後、回転中心軸２５ａの一端（上端）に低頭ねじ２５ｄを締結することにより、ブラケット２５Ｚに固定された従動プーリ２５が構成される。
尚、プーリ本体２５ｂの円形外周面には、ワイヤーソー１０が挿入されてワイヤーソー１０を循環移動させるためのガイド溝２５ｍが形成されている。
また、低頭ねじ２５ｄの低頭部２５ｔの上面の中心には、六角レンチ等の工具を挿入して低頭ねじ２５ｄを回転させるための工具挿入孔２５ｋが形成されている。
【００１７】
駆動側配列プーリ群２３を構成する複数の各従動プーリ２７，２７…、及び、経路変換用プーリ２２は、通常構成のプーリを使用すれば良い。
即ち、従動プーリ２７，２２は、例えば図４（ｂ）に示すように、回転中心軸として有頭のボルト２７ａが使用された構成のプーリを用いればよい。
即ち、当該従動プーリ２７，２２は、ボルト２７ａを、ベアリング押さえ２７ｃの中心孔、ベアリング２５ｃが組み込まれたプーリ本体２５ｂにおける軸受孔、スペーサ２５ｊの中心孔、ブラケット２５Ｚの貫通孔２５ｇに貫通させた後、ボルト２７ａの先端側に座金２５ｈを挿入してナット２５ｉを締結することにより構成される。
尚、駆動側配列プーリ群２３を構成する複数の各従動プーリ２７，２７…、及び、経路変換用プーリ２２として、図４（ａ）に示した構成のプーリを使用しても良い。
【００１８】
従動プーリ２５の低頭ねじ２５ｄの低頭部２５ｔの高さ寸法ｈ１（図４（ａ）参照）は、プーリ２７，２２の回転中心軸を構成する有頭のボルト２７ａの頭部２７ｂの高さ寸法ｈ２（図４（ｂ）参照）よりも小さい。
即ち、切断側配列プーリ群２１を構成する複数の各従動プーリ２５，２５…は、プーリ本体２５ｂの上面２５ｒから上方への突出量が、プーリ２７，２２と比べて小さくなるように構成されている。
【００１９】
支持手段は、切断側配列プーリ群２１を構成する各従動プーリ２５，２５…を支持する第１支持装置と、駆動側配列プーリ群２３を構成する各従動プーリ２７，２７…、２つの経路変換用プーリ２２，２２、駆動プーリ２０、及び、ワイヤーソー１０の駆動装置を支持する第２支持装置と、経路変換用プーリ２２を支持する第３支持装置とを備える。
【００２０】
第１支持装置は、例えば図１に示すように、床版３の下面３ｕよりも下方において床版３の下面３ｕに沿って延長するように設けられた複数本の支持体２８，２８により構成される。
第２支持装置は、例えば図２に示すように、床版３の下面３ｕよりも下方において床版３の下面３ｕに沿って延長するように設けられた複数本の支持体２８，２８と、垂直方向に延長するように設けられた複数本の支持体２９，２９とが組み合わされた支持枠２８９により構成される。
第３支持装置は、例えば図３，図５（ｂ）に示すように、支持体２９に対して上下方向に移動可能に設けられた支持体３０により構成される。
支持体２８，２９，３０は、例えば、断面矩形状の金属管等の長尺材により形成される。
【００２１】
ワイヤーソー１０の駆動装置は、駆動プーリ２０と、駆動プーリ２０を回転させるとともに、駆動プーリ２０を直線往復移動させる駆動制御装置３２とを備えて構成される。
駆動制御装置３２は、例えば、駆動プーリ２０の回転中心軸２０Ｃに連結された回転駆動源としての図外のプーリ回転用モータ、駆動プーリ２０の回転中心軸２０Ｃを回転可能に支持する図外の軸受、駆動プーリ２０を支持体２９に沿って上下方向に往復動させる直線移動機構３３とを備える。
【００２２】
直線移動機構３３は、例えば、支持体２９側に設けられた図外のラックと、筐体側に設けられてラックと噛み合う図外のピニオンと、ピニオンを回転させる駆動源としての図外のプーリ移動用モータ（例えば油圧モータ）と、当該プーリ移動用モータの制御回路等とを備えて構成される。
即ち、ピニオンを回転させることで、ラックの延長方向、即ち、支持体２９の上下延長方向に駆動プーリ２０が往復動可能となるように構成されている。
【００２３】
ガイド部及び駆動機構を床版３の下面３ｕに取付けるための取付手段は、第１支持装置を構成する複数本の支持体２８，２８を床版３の下面３ｕに取付けるための複数の第１取付部材４１，４１…と、第２支持装置を構成する支持枠２８９、及び、第３支持装置を構成する支持体３０を床版３の下面３ｕに取付けるための複数の第２取付部材４２とを備える。
【００２４】
第１取付部材４１は、例えば、図５（ａ），図６に示すように、床版３の下面３ｕにアンカーボルト４０等で取付けられる床側取付部材４３と、支持体２８に取付けられる支持体側取付部材４４とを備え、支持体側取付部材４４が床側取付部材４３の上下延長板４３ｂに対して上下方向に移動可能となるように取付けられていることにより、支持体２８の上下を位置調整して従動プーリ２５の上下位置を調整可能な上下位置調整機構を備えた構成となっている。構成されている。
即ち、第１取付部材４１は、ガイド手段としての従動プーリ２５を床版３の下面３ｕに固定するとともに、従動プーリ２５の上下位置を調整するための上下位置調整機構を備えた構成となっている。
【００２５】
床側取付部材４３は、アンカーボルト４０等で床版３の下面３ｕに固定される固定板４３ａと、固定板４３ａの板面より当該板面と直交する下方に延長する上下延長板４３ｂと、上下延長板４３ｂの下端より上下延長板４３ｂの板面と直交する方向に延長する落下防止板４３ｃとを備える。
固定板４３ａにはアンカーボルト４０を貫通させる貫通孔４３ｄが形成され、上下延長板４３ｂには上下延長板４３ｂの延長方向に延長するように形成された長孔４３ｅが形成され、落下防止板４３ｃには上下調整用のねじ４７が螺着される貫通ねじ孔４４ｆ（図６参照）が形成されている。
【００２６】
支持体側取付部材４４は、図外のブラケット及びボルト，ナット等の連結具で支持体２８に連結された連結板４４ａと、連結板４４ａの一端より連結板４４ａの板面と直交する方向に延長して板面と上下延長板４３ｂの板面とが接触した状態で上下延長板４３ｂに連結される上下移動連結板４４ｂとを備える。上下移動連結板４４ｂには、連結ボルト４５が貫通する貫通孔４４ｃ（図６参照）が形成されている。
【００２７】
第１取付部材４１は、支持体側取付部材４４の上下移動連結板４４ｂの上端が床側取付部材４３の固定板４３ａ側に位置されるように、上下移動連結板４４ｂの板面と床側取付部材４３の上下延長板４３ｂの板面とを接触させ、かつ、支持体側取付部材４４の連結板４４ａの下面を形成する板面と落下防止板４３ｃの上面を形成する板面とを対向させた状態で、連結ボルト４５を上下移動連結板４４ｂの貫通孔４４ｃ及び上下延長板４３ｂの長孔４３ｅに通して、長孔４３ｅより突出する連結ボルト４５の先端側にナット４６を締結することにより、支持体側取付部材４４と床側取付部材４３とが連結される。
そして、上下調整用のねじ４７を、例えば、二重ナット４８，４９のねじ孔及び落下防止板４３ｃの貫通ねじ孔４４ｆに貫通させて、ねじ４７の先端４７ｔ（図６参照）を連結板４４ａの下面を形成する板面に接触させることにより、第１取付部材４１が構成される。
【００２８】
従って、当該第１取付部材４１の固定板４３ａがアンカーボルト４０等で床版３の下面３ｕに固定されたことによって、支持体２８，２８が床版３に固定され、切断側配列プーリ群２１を構成する複数の各従動プーリ２５，２５…が床版３に支持された構成となる。
そして、当該第１取付部材４１が床版３に固定された状態で、連結ボルト４５の先端側に締結されたナット４６を緩めて、上下調整用のねじ４７を上下動させることにより、連結板４４ａに連結された支持体２８、及び、支持体２８にブラケット２５Ｚを介して固定された従動プーリ２５の上下位置を調整できるようになる。
【００２９】
例えば、図１の左側の３つの第１取付部材４１の上下位置調整機構を調整して、図１の左側の支持体２８のレベルを調整することによって、当該支持体２８上にブラケット２５Ｚを介して固定された図１の左側の２つの従動プーリ２５，２５を切断面上に位置させることができる。
また、図１の右側の３つの第１取付部材４１の上下位置調整機構を調整して、図１の右側の支持体２８のレベルを調整することによって、当該支持体２８上にブラケット２５Ｚを介して固定された図１の右側の２つの従動プーリ２５，２５を切断面上に位置させることができる。
【００３０】
そして、上下位置調整が完了したら、連結ボルト４５の先端側のナット４６を締結するとともに、二重ナット４８，４９を締結することにより、従動プーリ２５の上下位置が固定されることになる。
即ち、当該第１取付部材４１は、従動プーリ２５がブラケット２５Ｚを介して連結された連結板４４ａを上下移動可能とした、長孔４３ｅ、連結ボルト４５，ナット４６，上下調整用のねじ４７等を有し、従動プーリ２５の上下位置を調整可能とした上下位置調整機構を備えている。
【００３１】
支持枠２８９、及び、支持体３０を床版３の下面３ｕに取付けるための第２取付部材４２は、例えば、図５（ｂ），図３に示すように、床版３の下面３ｕにアンカーボルト４０等で取付けられる床側取付部材５０と、ボルト５１と、ボルト５１の延長方向に移動自在となるようボルト５１に連結された支持体側取付部材５２とを備える。
床側取付部材５０にはアンカーボルト４０を貫通させる貫通孔５０ａが形成され、支持体側取付部材５２にはボルト５１を貫通させるための貫通孔５２ａが形成されている。
【００３２】
例えば、図５（ｂ）に示すように、ボルト５１の上端（一端）が例えば床側取付部材５０の下面に溶接された袋ナット５６等の連結具によって床側取付部材５０に連結され、ボルト５１の下端（他端）を、ナット５３のねじ孔、床側取付部材５０の貫通孔５０ａ、ナット５４のねじ孔、ナット５５のねじ孔に貫通させることにより、第２取付部材４２が構成される。
そして、支持枠２８９の支持体２９の上端（一端）が図外のブラケット及びボルト，ナット等の連結具によって床側取付部材５０の下面に連結される。
また、支持体３０がスライダ３１を介して支持体２９に上下方向に移動可能に取付けられており、当該スライダ３１と支持体側取付部材５２とが例えばブラケット５７等の連結具を介して連結される。
さらに、図３に示すように、経路変換用プーリ２２が、ブラケット２２Ｚを介して支持体３０に連結される。
【００３３】
従って、当該第２取付部材４２の床側取付部材５０がアンカーボルト４０等で床版３の下面３ｕに固定されたことによって、支持枠２８９，支持体３０が床版３に固定され、駆動側配列プーリ群２３を構成する各従動プーリ２７，２７…、２つの経路変換用プーリ２２，２２、駆動プーリ２０、及び、ワイヤーソー１０の駆動装置が、床版３に支持された構成となる。
そして、当該第２取付部材４２が床版３に固定された状態で、経路変換用プーリ２２が、ブラケット２２Ｚ，支持体３０，スライダ３１，ブラケット５７を介して連結された支持体側取付部材５２を上下移動させることによって、経路変換用プーリ２２の上下位置を調整できるようになる。
即ち、当該第２取付部材４２は、経路変換用プーリ２２が連結された支持体側取付部材５２を上下移動可能としたボルト５１とナット５３，５４，５５とを有し、経路変換用プーリ２２の上下位置を調整可能とした上下位置調整機構を備えている。
【００３４】
従って、第１取付部材４１の上下位置調整機構、及び、第２取付部材４２の上下位置調整機構を操作することで、ガイド手段としての従動プーリ２５，２２の上下位置を調整し、これら従動プーリ２５，２２に掛け渡されるワイヤーソー１０を切断面上に位置させることができ、予定の切断対象部位３Ａを正確に切断できるようになる。
【００３５】
実施形態１の切断方法によれば、切断装置１が床版３の下面３ｕに固定された状態で、プーリ回転用モータとプーリ移動用モータとを駆動させて、駆動プーリ２０を回転させて複数の従動プーリと駆動プーリ２０とに掛け渡されたワイヤーソー１０を循環移動させるとともに、駆動プーリ２０を上下方向に移動させてワイヤーソー１０を牽引することによって、ワイヤーソー１０が切断対象部位３Ａのコンクリートに食い込むので、コンクリートが切断される。
この際、取付手段としての第１取付部材４１及び第２取付部材４２の上下位置調整機構により、切断対象部位３Ａに合わせて従動プーリ２５，２２の上下位置を調整することができ、予定の切断対象部位３Ａを正確に切断できるようになる。
【００３６】
尚、ワイヤーソー１０による切断動作が進行するにつれて図１のワイヤーソー１０の下側の部分が図１の上方側に移動する。そして、ワイヤーソー１０の下側の部分が図１の下側の両方の従動プーリ２５，２５の位置まで到達したならば、ワイヤーソー１０の駆動を停止してワイヤーソー１０の図１の下側の部分を下側の両方の従動プーリ２５，２５から外して、下側の両方の従動プーリ２５，２５を図１の下方に移動させた後に、ワイヤーソー１０の駆動を再開する。その後、ワイヤーソー１０が図１の左上側の従動プーリ２５に到達したならば、ワイヤーソー１０の駆動を停止してワイヤーソー１０の図１の左上の部分を左上の従動プーリ２５から外して、当該左上の従動プーリ２５を図１の上方に移動させた後に、ワイヤーソー１０の駆動を再開することにより、図１の下の貫通孔３ａから上の貫通孔３ａまでの間の床版３の切断対象部位３Ａを切断できる。
そして、所定範囲の床版３を桁２から切り離した後、当該切り離した床版３をクレーンで楊重可能な適当な大きさに分割して、クレーンで撤去する。
【００３７】
以上説明したように、実施形態１の切断方法によれば、桁２の上面２ｔに取付けられた床版３と桁２の上面２ｔとの境界近傍における床版３の切断対象部位３Ａとなるコンクリート部分をワイヤーソー１０を有した切断装置１を用いて切断する際に、ワイヤーソー１０の駆動機構及びガイド手段を床版３の下面３ｕに取付けた状態で、ワイヤーソー１０を駆動することにより、床版３の切断対象部位３Ａを切断するようにした。
即ち、実施形態１の切断方法によれば、切断装置１を床版３の下面３ｕにのみ取付けた状態でワイヤーソー１０を駆動することにより、床版３と桁２の上面２ｔとの境界近傍における床版３の切断対象部位３Ａを切断するようにしたので、床版更新工事において、切断装置１を床版３の下面３ｕ側に設置して床版３を切断することにより、床版３の周辺の利用、すなわち、道路の利用を損なうことなく、かつ、切断して撤去する部分以外の再利用する部分である桁２を損傷する可能性を低くできるようになる。
【００３８】
また、実施形態１の切断装置１によれば、ガイド手段は、ワイヤーソー１０が掛け渡される複数のプーリ（従動プーリ群、及び、駆動プーリ）により構成されたので、予定の切断位置にワイヤーソー１０を精度良く案内できるようになる。
尚、ガイド手段が、切断動作中のワイヤーソー１０の下面と接触する回転可能な円周面を有したローラコンベヤやガイドローラ等のローラを備えた構成としてもよい。
また、実施形態１では、プーリ、ローラコンベヤ、ガイドローラ等のガイド手段を、桁２の幅方向の両方の端縁に沿った位置にそれぞれ設けるようにした例を示したが、当該ガイド手段を、桁２の幅方向の両方の端縁のうちの一方の端縁に沿った位置にのみ設けるようにしてもよい。
【００３９】
また、実施形態１の切断装置１によれば、ワイヤーソー１０と、ワイヤーソー１０の駆動機構と、ワイヤーソー１０をガイドするガイド手段としての駆動プーリ２０及び従動プーリ群と、ガイド手段及び駆動機構を床版３の下面３ｕに取付けるための取付手段としての第１取付部材４１及び第２取付部材４２を備えたので、床版更新工事において、床版３の下面３ｕ側に設置して床版３を切断できるようになり、床版３の周辺の利用、すなわち、道路の利用を損なうことなく、かつ、切断して撤去する部分以外の再利用する部分である桁２を損傷する可能性を低くできる切断装置を提供できる。
【００４０】
また、実施形態１の切断装置１によれば、ワイヤーソー１０をガイドするガイド手段としての従動プーリ２５，２２を備え、取付手段としての第１取付部材４１及び第２取付部材４２が従動プーリ２５，２２の上下位置を調整する上下位置調整機構とを備えたので、第１取付部材４１及び第２取付部材４２により切断装置１が床版３の下面３ｕに固定された状態で、従動プーリ２５の上下位置と経路変換用プーリ２２の上下位置とを揃えることができるので、ワイヤーソー１０による切断位置のレベル（上下高さ位置）を自由に設定できるようになる。
例えば、桁２と桁２とを接続する添接板が設置された添接板設置区間において、当該添接板及び添接板を固定するボルト等の支障物を逃げるように従動プーリ２５を上方位置に設定できるようになり、桁２を損傷する可能性が低くなる。
【００４１】
また、実施形態１の切断装置１によれば、従動プーリ２５の回転中心軸２５ａの上端が当該プーリ２５の上面２５ｒより上方に突出しないように構成され、当該回転中心軸２５ａの上端には、ベアリング押さえとして機能する低頭ねじ２５ｄが設けられたので、プーリ２５（プーリ本体２５ｂ）の上面２５ｒから上方への突出量が、通常構成のプーリ２７，２２と比べて小さくなる。
従って、例えば、従動プーリ２５を、床版３のハンチ（テーパ）部分の傾斜下面３ｕｔの下方に位置させる場合において、上述した添接板設置区間で上述した添接板やボルト等の支障物を逃げるように従動プーリ２５を上方に設置したい場合に、従動プーリ２５を床版３の傾斜下面３ｕｔや下面３ｕにより近付けることができるようになって、上述した添接板やボルト等の支障物よりも上方の位置を切断できるようなり、桁２を損傷する可能性が低くくなる。
即ち、従動プーリ２５を床版３の傾斜下面３ｕｔや下面３ｕにより近付けることができるようになり、切断対象部位を決める際の設定範囲の自由度が増すという効果が得られる。
【００４２】
尚、添接板やボルト等の支障物を逃げるようにプーリを上方に設置できない場合、当該添接板やボルト等の支障物を切断しないように、ワイヤーソーによる切断動作を中止させたりする必要があり、作業効率が悪くなる。
一方、実施形態１に係る切断装置１によれば、従動プーリ２５，２２の上下位置を調整可能とする上下位置調整機構、及び、低頭ねじ２５ｄを備えた従動プーリ２５を用いて従動プーリ２５を床版３の傾斜下面３ｕｔや下面３ｕにより近付けることができるようにした構成を備えているので、上述した添接板やボルト等の支障物を逃げるように従動プーリ２５を設置できるようになり、ワイヤーソー１０による切断動作を中止させることなく、効率的に切断作業を行えるようになる。
【００４３】
以下、上述した切断装置１のワイヤーソー１０を覆うように設置される実施形態１に係るカバーについて、図１乃至図３、図６乃至図８に基づいて説明する。
【００４４】
カバー６は、ワイヤーソー１０、切断対象部位３Ａ、切断側配列プーリ群２１を構成する複数の各従動プーリ２５，２５…、従動プーリ２５を支持する支持体２８の外側を囲むように設置されて、第１取付部材４１を介して取付部としての床版３の下面３ｕに着脱可能に構成される。
カバー６は、例えば、図１，図３に示すように、桁２の上面２ｔの幅方向両側において、それぞれ、桁２の上面２ｔの延長方向に沿って延長するように２つ設けられている。
つまり、桁２の形成するＨ形鋼のウェブを境界として、桁２の上面２ｔを形成するＨ形鋼のフランジの幅方向両側に設けられたハンチ部分と対向するように、それぞれ個別に、カバー６，６が設けられる。
即ち、各カバー６，６は、床版３の切断対象部位３Ａに沿うように、桁２の上面２ｔの延長方向に沿って延長するように配置された支持体２８と、当該支持体２８に取付けられた従動プーリ２５，２５と、床版３の切断対象部位３Ａと、ワイヤーソー１０を覆うように設置される。
【００４５】
カバー６は、例えば、第１取付部材４１の固定板４３ａを床版３の下面３ｕに固定するアンカーボルト４０を貫通させる貫通孔が形成された図外の取付板を後述する垂直壁部６ａの上端６ｔ側に備えて第１取付部材４１と一緒に床版３の下面３ｕに固定される構成、あるいは、第１取付部材４１の固定板４３ａの下面に後述する垂直壁部６ａの上端６ｔ側が溶接されて第１取付部材４１と一体とされた構成とすればよい。
【００４６】
図６，図８に示すように、カバー６は、垂直壁部６ａと、水平床部６ｂと、水平床部６ｂの一端と垂直壁部６ａの下端とを繋ぐ傾斜壁部６ｃと、一端壁部６ｘ（図１，図２参照）、他端壁部６ｙ（図１，図２参照）とを備える。
垂直壁部６ａは、桁２の延長方向及び上下方向に延長する板により形成される。
水平床部６ｂは、桁２の延長方向及び桁２の上面２ｔの幅方向に延長する板により形成される。
傾斜壁部６ｃは、桁２の延長方向及び上下傾斜方向に延長する板により形成される。
一端壁部６ｘ及び他端壁部６ｙは、桁２の上面２ｔの幅方向及び上下方向に延長する板により形成される。
尚、以後、カバー６の説明において、桁２の延長方向に沿った方向を、長手方向という。
【００４７】
例えば、カバー６は、桁２の延長方向と対応する長手方向に長い長尺板の短手方向における、垂直壁部６ａと傾斜壁部６ｃとの境界部、及び、傾斜壁部６ｃと水平床部６ｂとの境界部を折曲げることにより、垂直壁部６ａと傾斜壁部６ｃと水平床部６ｂとが形成され、長手方向に沿ったこれら垂直壁部６ａ、傾斜壁部６ｃ、水平床部６ｂの一端より延長してこれら垂直壁部６ａ、傾斜壁部６ｃ、水平床部６ｂの板面と直交する板面を有した一端壁部６ｘと、長手方向に沿ったこれら垂直壁部６ａ、傾斜壁部６ｃ、水平床部６ｂの他端より延長してこれら垂直壁部６ａ、傾斜壁部６ｃ、水平床部６ｂの板面と直交する板面を有した他端壁部６ｙとを備えた構成である。
尚、桁２の上面２の幅方向両側に設けられた各カバー６，６の水平床部６ｂ，６ｂの他端には、桁２を形成するＨ形鋼のウェブの板面との間の隙間を塞ぐための塞板６ｇ（図３参照）が設けられる。この塞板６ｇは、各現場において固定されるカバー６の水平床部６ｂの他端と桁２のウェブとの間の間隔に対応した幅のものを後付けすればよい。
【００４８】
図８に示すように、傾斜壁部６ｃには、長手方向に沿って所定間隔を隔てて複数の窓用開口６ｈ，６ｈ…が形成され、この窓用開口６ｈを開閉可能なように設けられた開閉可能板６ｃ２を備える。
即ち、傾斜壁部６ｃは、長手方向に沿って所定間隔を隔てて設けられた複数の窓用開口６ｈを塞ぐ開閉可能板６ｃ２，６ｃ２…と、隣り合う窓用開口６ｈと窓用開口６ｈと間の固定壁６ｃ１，６ｃ１…とで構成される。
また、窓用開口６ｈと開閉可能板６ｃ２とで開閉可能な窓が構成される。
尚、開閉可能板６ｃ２の代わりに、窓用開口６ｈに光透過性を有した透明板等の窓板を嵌め込んだ構成としてもよい。この場合、窓用開口６ｈと当該窓用開口６ｈに嵌め込まれた窓板とによって所謂嵌め殺しの窓が構成される。
また、窓用開口は、長手方向に沿って連続する１つの窓用開口であってもよい。
即ち、カバー６は、ワイヤーソー１０による切断動作中の状況を目視可能な窓を１つ以上備えている。
【００４９】
水平床部６ｂには、長手方向に沿って延長する細長孔６ｅが形成され、この細長孔６ｅの幅方向両側における水平床部６ｂ上には、当該細長孔６ｅの延長方向に沿って延長するレール６１，６１を備える。
【００５０】
そして、カバー６内には、上述したレール６１，６１上を転動して移動可能な移動手段としての車輪６０ｃ，６０ｃ…を備えた移動体６０が設置される。
図６乃至図８に示すように、移動体６０は、例えば、矩形板により形成された取付部６０ａと、取付部６０ａの矩形板の下面を形成する板面の４隅部に固定された４つのフォーク６０ｂと、シャフト６０ｄを介してフォーク６０ｂに回転可能に取付けられた車輪６０ｃと、取付部６０ａにボルト６０ｙで固定されたハンドル６０ｘと、取付部６０ａに図外の取付具により取付けられた吸引ホース６２と、取付部６０ａに図外の取付具により取付けられた冷却媒体供給用ホース６３とを備えて構成される。
【００５１】
取付部６０ａの矩形板の下面の各長辺縁に沿って並ぶように設けられた前後で２個の車輪６０ｃ，６０ｃが、それぞれ、幅方向左右のレール６１，６１上に設置されることにより、移動体６０は、取付部６０ａの板面と水平床部６ｂの上面とが平行を維持した状態で走行可能に構成される。
そして、上端が取付部６０ａに固定されたハンドル６０ｘの下端側が、細長孔６ｅを介して水平床部６ｂよりも下方に突出するように設けられる。
【００５２】
また、図２，図３に示すように、吸引装置／冷却装置６５に、吸引ホース６２の一端、及び、冷却媒体供給用ホース６３の一端が接続される。
また、図６乃至図８に示すように、吸引ホース６２の他端側、及び、冷却媒体供給用ホース６３の他端側が、細長孔６ｅを介して取付部６０ａに導かれて取付部６０ａに取付けられて、吸引ホース６３の他端集塵口６２ｔ及び冷却媒体供給用ホース６３の他端風供給口６３ｔが、ワイヤーソー１０により切断中の切断対象部位３Ａに臨むように構成される。
つまり、図２，図３に示すように、作業監視者Ｍがワイヤーソー１０での切断進行状況に応じて、ハンドル６０ｘを持って取付部６０ａを移動させることにより、吸引ホース６２の他端集塵口６２ｔ及び冷却媒体供給用ホース６３の他端風供給口６３ｔを、ワイヤーソー１０により切断中の切断対象部位３Ａに追随させることが可能となる。
尚、吸引ホース６３の他端集塵口６２ｔ及び冷却媒体供給用ホース６３の他端風供給口６３ｔは、ワイヤーソー１０による切断の際に、集塵効率の良い位置、冷却効率の良い位置に設定すればよい。
【００５３】
尚、図６に示すように、ハンドル６０ｘ、吸引ホース６２、冷却媒体供給用ホース６３と細長孔６ｅの幅方向両側孔壁との間の隙間を塞ぐためのゴム板等の塞体６ｆ，６ｆが設けられていること、及び、上述した塞板６ｇ（図３参照）が設けられていることにより、切断中に発生する粉塵がカバー６の外に漏れてしまうことを抑制する対策が施されている。
【００５４】
以上説明したように、実施形態１に係るカバー６によれば、ワイヤーソー１０及びワイヤーソー１０をガイドするガイド手段を覆うように設置できるので、ワイヤーソー１０が露出したり、切断中に発生した塵が周囲に拡散することを防止でき、切断作業を安全に行えるようになる。即ち、安全性を確保できるカバー６を提供できるようになる。
【００５５】
また、実施形態１に係るカバー６は、ワイヤーソー１０による切断動作中の状況を目視可能な窓を１つ以上備えているので、作業監視者Ｍは、ワイヤーソー１０による切断動作中の状況を、カバー６の外側から、安全、かつ、容易に確認できる。即ち、切断位置が適切であるか否か、切断進行状況等を、カバー６の外側から、安全、かつ、容易に確認できるようになる。
尚、窓を開閉する開閉可能板６ｃ２を備えた構成とすれば、必要な大きさを確保することにより、カバー６の外側からカバー６の内側に手を入れることが可能となるので、第１取付部材４１の上下調整機構の調整、移動体６０が脱輪したときの修正などの作業を行えるようになり、好ましい。
【００５６】
実施形態１に係るカバー６によれば、水平床部６ｂにおいて長手方向（一方向）に延長するように形成された細長孔（開口）６ｅと、ワイヤーソー１０側に位置するカバー６の内側（水平床部６ｂ上）における細長孔６ｅの幅方向の両側の位置に細長孔６ｅの延長方向に沿って設けられたレール６１，６１と、レール６１，６１上を移動可能な移動手段としての車輪６０ｃを有した移動体６０を備え、吸引装置（吸引装置／冷却装置６５）と吸引装置に一端が連結された吸引ホース６２とを備えた吸引手段における当該吸引ホース６２の他端側、及び、冷却装置（吸引装置／冷却装置６５）と冷却装置に一端が連結された冷却媒体供給用ホース６３とを備えた冷却手段における当該冷却媒体供給用ホース６３の他端側が、細長孔６ｅを介してカバー６の内側に導かれて移動体６０の取付部６０ａに取付けられた構成としたので、吸引ホース６２の他端集塵口６２ｔ及び冷却媒体供給用ホース６３の他端風供給口６３ｔを、ワイヤーソー１０により切断中の切断対象部位３Ａに追随させることが可能となり、ワイヤーソー１０により切断中に発生した塵を効率的に吸引できるとともに、ワイヤーソー１０による切断箇所に効率的に冷却風を供給できるようになるので、効率的な切断作業を実現できるようなる。
また、レール６１，６１上を移動可能な移動手段は、例えば、レール６１，６１上をスライドするスライド体等であっても構わない。即ち、移動手段は、レール６１，６１上を移動可能であれば、どのような構成であっても構わない。
【００５７】
尚、実施形態１においては、取付部６０ａを有した移動体６０を設けた例を示したが、カバー６に、切断動作中に発生した塵を吸引する吸引手段の吸引口の取付部を設けたり、切断動作中の切断対象部位に冷却媒体を供給する冷却手段の冷却媒体供給口の取付部を設けるようにしてもよい。
即ち、吸引ホース６２の他端集塵口６２ｔの取付部や、冷却媒体供給用ホース６３の他端風供給口６３ｔの取付部を、カバー６に設けて、当該取付部に、吸引ホース６２の他端集塵口６２ｔや冷却媒体供給用ホース６３の他端風供給口６３ｔを連結することにより、カバー６内で切断動作中に発生した塵を他端集塵口６２ｔを介して吸引装置に吸引したり、冷却装置からカバ―６内に冷却媒体を供給するようにしてもよい。
つまり、切断動作中に発生した塵を吸引する吸引手段の吸引口の取付部をカバー６に設ければ、ワイヤーソー１０により切断中に発生した塵を吸引できることから、周辺環境への影響を低減でき、効率的な切断作業を実現できるようになる。
また、切断動作中の切断対象部位に冷却媒体を供給する冷却手段の冷却媒体供給口の取付部をカバー６に設ければ、ワイヤーソー１０による切断箇所に冷却媒体を供給できるようになることから、ワイヤーソー切断時の発熱による切断効率の低下を抑制でき、効率的な切断作業を実現できるようになる。
【００５８】
また、上述した吸引ホース６２の他端集塵口６２ｔの取付部や、冷却媒体供給用ホース６３の他端風供給口６３ｔの取付部が、カバー６の板部の一部、例えば、垂直壁部６ａ、又は、水平床部６ｂに、移動可能に設けられた構成のカバー６としてもよい。
このように、取付部が移動可能に設けられた構成とすることで、ワイヤーソー１０により切断中に発生した塵を効率的に吸引できるとともに、ワイヤーソー１０による切断箇所に効率的に冷却媒体を供給できるようになるので、効率的な切断作業を実現できるようになる。
尚、この場合の取付部の移動手段も、どのような構成でも構わないが、例えば、カバー６に形成されたスリットと、当該スリット内を移動可能に構成された移動体とで構成すればよい。
【００５９】
また、吸引ホース６２の他端集塵口６２ｔの取付部、冷却媒体供給用ホース６３の他端風供給口６３ｔの取付部のうちの少なくとも１つを備えたカバーであればよい。
【００６０】
また、本発明のカバーは、吸引ホース６２の他端集塵口６２ｔの取付部、冷却媒体供給用ホース６３の他端風供給口６３ｔの取付部を備えずに、ワイヤーソー１０による切断動作中の状況を目視可能な窓を１つ以上備えただけのカバーであってもよい。
【００６１】
また、上記では、冷却媒体として冷却風を供給する例を示したが、冷却媒体として冷却水を供給するようにしてもよい。
【００６２】
また、本発明のカバーは、例えば上述した傾斜壁部６ｃが無い構造としてもよく、カバーの形状は特に限定されない。
また、本発明のカバーに設ける窓用開口は、例えば垂直壁部６ａや水平床部６ｂに形成してもよく、当該窓用開口の形成場所は特に限定されない。
【００６３】
また、本発明のカバーは、特許文献１に開示された切断装置のように、道路の上面側に設置して切断する切断装置のワイヤーソーを覆うカバーとしても使用可能である。この場合、カバーを切断装置に取り付けるようにしてもよい。
【符号の説明】
【００６４】
１  切断装置、３Ａ  切断対象部位、６  カバー、６ｅ  細長孔（開口）、
６ｈ  窓用開口（窓）、１０  ワイヤーソー、６０ａ  取付部、
６０ｃ  車輪（移動手段）、６１  レール、６２  吸引ホース、
６３  冷却媒体供給用ホース、６５  吸引装置／冷却装置。
【図１】
2020165272.tif 000003
【図２】
2020165272.tif 000004
【図３】
2020165272.tif 000005
【図４】
2020165272.tif 000006
【図５】
2020165272.tif 000007
【図６】
2020165272.tif 000008
【図７】
2020165272.tif 000009
【図８】
2020165272.tif 000010